(57)【特許請求の範囲】
【請求項１】
商取引対象の検索条件である第１条件を取得する第１条件取得手段と、
商取引対象の検索条件である第２条件を取得する第２条件取得手段と、
商取引対象に関連づけて１以上のレビュー文章を記憶する記憶手段にアクセスして、前記第１条件を満足する１以上の商取引対象に関する１以上のレビュー文章、及び前記第２条件を満足する１以上の商取引対象に関するレビュー文章のうち、共通のレビュアーによるものを特定するレビュー文章特定手段と、
前記レビュー文章特定手段により特定される、共通のレビュアーによる前記各条件に対応するレビュー文章を相互に関連づけて出力するレビュー文章出力手段と、
を含むレビュー文章出力システム。
【請求項２】
請求項１に記載のレビュー文章出力システムにおいて、
前記第１条件取得手段は、ユーザにより入力される前記第１条件を取得する、レビュー文章出力システム。
【請求項３】
請求項２に記載のレビュー文章出力システムにおいて、
前記第２条件取得手段は、前記ユーザにより入力される前記第２条件を取得する、レビュー文章出力システム。
【請求項４】
請求項１又は２に記載のレビュー文章出力システムにおいて、
前記第２条件取得手段は、前記第１条件と前記第２条件とを関連づけて記憶する手段にアクセスして、前記第１条件取得手段により取得される前記第１条件に関連づけて記憶された前記第２条件を取得する、レビュー文章出力システム。
【請求項５】
請求項１又は２に記載のレビュー文章出力システムにおいて、
前記第２条件取得手段は、商取引対象と該商取引対象が属するジャンルを記憶する手段にアクセスして、前記第１条件取得手段により取得される前記第１条件に基づいて、該第１条件を満足する１以上の商取引対象が属するジャンルを、前記第２条件として前記ジャンルを記憶する手段から取得する、レビュー文章出力システム。
【請求項６】
請求項１乃至５のいずれかに記載のレビュー文章出力システムにおいて、
前記レビュー文章特定手段は、
前記第１条件を満足する１以上の商取引対象に関する１以上のレビュー文章及びそれらのレビュアーを取得する第１取得手段と、
前記第２条件を満足する１以上の商取引対象に関する１以上のレビュー文章及びそれらのレビュアーを取得する第２取得手段と、
前記第１及び前記第２取得手段により取得されるレビュアーに基づき、前記第１取得手段により取得される１以上のレビュー文章、及び前記第２取得手段により取得される１以上のレビュー文章のうち、共通のレビュアーによるものを特定する特定手段と、を含むレビュー文章出力システム。
【請求項７】
請求項１乃至５のいずれかに記載のレビュー文章出力システムにおいて、
前記レビュー文章特定手段は、
前記第１条件を満足する１以上の商取引対象に関する１以上のレビュー文章及びそれらのレビュアーを取得する第１取得手段と、
前記第１取得手段により取得されるレビュアーのうち、前記第２条件を満足する１以上の商取引対象に関するレビュー文章を作成したものを特定する特定手段と、
前記特定手段により特定されるレビュアーにより作成された、前記第２条件を満足する１以上の商取引対象に関する１以上のレビュー文章を取得する第２取得手段と、を含むレビュー文章出力システム。
【請求項８】
請求項１乃至７のいずれかに記載のレビュー文章出力システムにおいて、
前記レビュー文章出力手段は、共通のレビュアーによるレビュー文章を、並べて配置された状態で視認可能に出力する、レビュー文章出力システム。
【請求項９】
請求項１乃至８のいずれかに記載のレビュー文章出力システムにおいて、
前記レビュー文章出力手段は、共通のレビュアーによるレビュー文章を、それぞれ所定条件に合致する部分を他と区別して視認可能に出力する、レビュー文章出力システム。
【請求項１０】
条件受付手段が、商取引対象の検索条件を複数受け付ける条件受付ステップと、
レビュー文章特定手段が、商取引対象に関連づけて１以上のレビュー文章を記憶する記憶手段にアクセスして、前記各検索条件を満足する１以上の商取引対象に関するレビュー文章のうち、共通のレビュアーによるものを特定するレビュー文章特定ステップと、
レビュー文章出力手段が、前記レビュー文章特定ステップで特定される、前記各検索条件を満足するレビュー文章を相互に関連づけて出力するレビュー文章出力ステップと、
を含むレビュー文章出力方法。
【請求項１１】
商取引対象の検索条件を複数受け付ける条件受付ステップと、
商取引対象に関連づけて１以上のレビュー文章を記憶する記憶手段にアクセスして、前記各検索条件を満足する１以上の商取引対象に関するレビュー文章のうち、共通のレビュアーによるものを特定するレビュー文章特定ステップと、
前記レビュー文章特定ステップで特定される、前記各検索条件を満足するレビュー文章を相互に関連づけて出力するレビュー文章出力ステップと、
をコンピュータに実行させるプログラム。
【請求項１２】
商取引対象の検索条件を複数受け付ける条件受付ステップと、
商取引対象に関連づけて１以上のレビュー文章を記憶する記憶手段にアクセスして、前記各検索条件を満足する１以上の商取引対象に関するレビュー文章のうち、共通のレビュアーによるものを特定するレビュー文章特定ステップと、
前記レビュー文章特定ステップで特定される、前記各検索条件を満足するレビュー文章を相互に関連づけて出力するレビュー文章出力ステップと、
をコンピュータに実行させるプログラムを格納したコンピュータ可読情報記憶媒体。
【発明の詳細な説明】
【技術分野】
【０００１】
本発明はレビュー文章出力システム、レビュー文章出力方法、プログラム及びコンピュータ可読情報記憶媒体に関し、特に商品、サービス、情報などの商取引対象に関するレビュー文章の出力に関する。
【背景技術】
【０００２】
電子商取引の分野では、商品販売のウェブページに当該商品のレビュー文章が掲載されていたり、あるいは同ウェブページに当該商品のレビュー文章を掲載したウェブページがリンクされていたりすることがある。レビュー文章は、商品に対する感想や評価を記述した文章であり、電子商取引システムのユーザ（レビュアー）により作成され、同システムに投稿されるものである（下記特許文献１参照）。レビュー文章を読むことにより、商品が他のユーザからどのような評価を受けているかを知ることができ、ユーザは自分の商品選択に役立てることができる。
【先行技術文献】
【特許文献】
【０００３】
【特許文献１】特開２０１１−１５４５２７号公報
【発明の開示】
【発明が解決しようとする課題】
【０００４】
従来、ユーザは商品の検索条件を１つ指定することにより、その条件を満足する商品又は商品群に関するレビュー文章にアクセスすることができるに過ぎなかった。しかしながら、複数の商品に関するレビュー文章であって、同じレビュアーにより投稿されたものを読み比べることは、ユーザにとって有益である。例えば、あるレビュアーがコーヒー豆Ａとコーヒー豆Ｂのそれぞれにレビュー文章を投稿している場合、コーヒー豆Ａかコーヒー豆Ｂのどちらを購入するか迷っているユーザや、一方から他方への買い替えを検討しているユーザにとって、それらレビュー文章を読み比べることは有益である。また、あるレビュアーがコーヒー豆Ａだけでなく、多くのコーヒー豆に関するレビュー文章を投稿している場合、コーヒー豆Ａを購入しようかどうか迷っているユーザにとって、それらレビュー文章を読み比べることも有益である。以上の事情はサービスや情報の販売のケースなど、あらゆる商取引対象の販売においても当てはまる。
【０００５】
そこで本発明は、複数の商取引対象のそれぞれに関するレビュー文章のうち、同一レビュアーにより投稿されたものを、ユーザが容易に読み比べることができるレビュー文章出力システム、レビュー文章出力方法、プログラム及びコンピュータ可読情報記憶媒体を提供することを目的とする。
【課題を解決するための手段】
【０００６】
本発明に係るレビュー文章出力システムは、商取引対象の検索条件である第１条件を取得する第１条件取得手段と、商取引対象の検索条件である第２条件を取得する第２条件取得手段と、前記第１条件を満足する１以上の商取引対象に関する１以上のレビュー文章、及び前記第２条件を満足する１以上の商取引対象に関するレビュー文章のうち、共通のレビュアーによるものを特定するレビュー文章特定手段と、前記レビュー文章特定手段により特定される、共通のレビュアーによる前記各条件に対応するレビュー文章を相互に関連づけて出力するレビュー文章出力手段と、を含む。
【０００７】
ここで、前記第１条件取得手段は、ユーザにより入力される前記第１条件を取得してよい。
【０００８】
また、前記第２条件取得手段は、前記ユーザにより入力される前記第２条件を取得してよい。
【０００９】
また、前記第２条件取得手段は、前記第１条件取得手段により取得される前記第１条件に基づいて、該第１条件に対して事前に関連づけられた検索条件を、前記第２条件として取得してよい。
【００１０】
また、前記第２条件取得手段は、前記第１条件取得手段により取得される前記第１条件に基づいて、該第１条件を満足する１以上の商取引対象を包含する複数の商取引対象を検索するための検索条件を、前記第２条件として取得してよい。
【００１１】
また、前記レビュー文章特定手段は、前記第１条件を満足する１以上の商取引対象に関する１以上のレビュー文章及びそれらのレビュアーを取得する第１取得手段と、前記第２条件を満足する１以上の商取引対象に関する１以上のレビュー文章及びそれらのレビュアーを取得する第２取得手段と、前記第１及び前記第２取得手段により取得されるレビュアーに基づき、前記第１取得手段により取得される１以上のレビュー文章、及び前記第２取得手段により取得される１以上のレビュー文章のうち、共通のレビュアーによるものを特定する特定手段と、を含んでよい。
【００１２】
また、前記レビュー文章特定手段は、前記第１条件を満足する１以上の商取引対象に関する１以上のレビュー文章及びそれらのレビュアーを取得する第１取得手段と、前記第１取得手段により取得されるレビュアーのうち、前記第２条件を満足する１以上の商取引対象に関するレビュー文章を作成したものを特定する特定手段と、前記特定手段により特定されるレビュアーにより作成された、前記第２条件を満足する１以上の商取引対象に関する１以上のレビュー文章を取得する第２取得手段と、を含んでよい。
【００１３】
また、前記レビュー文章出力手段は、共通のレビュアーによるレビュー文章を、並べて配置された状態で視認可能に出力してよい。
【００１４】
また、前記レビュー文章出力手段は、共通のレビュアーによるレビュー文章を、それぞれ所定条件に合致する部分を他と区別して視認可能に出力してよい。
【００１５】
さらに、本発明に係るレビュー文章出力方法は、商取引対象の検索条件を複数受け付ける条件受付ステップと、前記各検索条件を満足する１以上の商取引対象に関するレビュー文章のうち、共通のレビュアーによるものを特定するレビュー文章特定ステップと、前記レビュー文章特定ステップで特定される、前記各検索条件を満足するレビュー文章を相互に関連づけて出力するレビュー文章出力ステップと、を含む。
【００１６】
また、本発明に係るプログラムは、商取引対象の検索条件を複数受け付ける条件受付ステップと、前記各検索条件を満足する１以上の商取引対象に関するレビュー文章のうち、共通のレビュアーによるものを特定するレビュー文章特定ステップと、前記レビュー文章特定ステップで特定される、前記各検索条件を満足するレビュー文章を相互に関連づけて出力するレビュー文章出力ステップと、をコンピュータに実行させるプログラムである。
【００１７】
また、本発明に係るコンピュータ可読情報記憶媒体は、商取引対象の検索条件を複数受け付ける条件受付ステップと、前記各検索条件を満足する１以上の商取引対象に関するレビュー文章のうち、共通のレビュアーによるものを特定するレビュー文章特定ステップと、前記レビュー文章特定ステップで特定される、前記各検索条件を満足するレビュー文章を相互に関連づけて出力するレビュー文章出力ステップと、をコンピュータに実行させるプロクラムを格納したものである。
【００１８】
本発明によれば、複数の商取引対象のそれぞれに関するレビュー文章のうち、同一レビュアーにより投稿されたものが出力されるので、ユーザはそれらを容易に読み比べることができるようになる。
【図面の簡単な説明】
【００１９】
【図１】本発明の実施形態に係る電子商取引サーバシステムを含むコンピュータネットワークの全体図である。
【図２】電子商取引サーバシステムから提供されるトップページの一例を示す図である。
【図３】電子商取引サーバシステムから提供される商品リストページの一例を示す図である。
【図４】電子商取引サーバシステムから提供される個別商品用レビュー文書ページの一例を示す図である。
【図５】電子商取引サーバシステムから提供される個別商品ページの一例を示す図である。
【図６】電子商取引サーバシステムから提供されるレビュー文書検索条件入力ページの一例を示す図である。
【図７】電子商取引サーバシステムから提供されるレビュー文書検索結果ページの一例を示す図である。
【図８】電子商取引サーバシステムから提供される拡張版レビュー文書検索条件入力ページの一例を示す図である。
【図９】電子商取引サーバシステムから提供される拡張版レビュー文書検索結果ページの一例を示す図である。
【図１０】電子商取引サーバシステムから提供される拡張版レビュー文書検索結果ページの付属部分を示す図である。
【図１１】商品データベースの構成を示す図である。
【図１２】レビュー文書データベースの構成を示す図である。
【図１３】商品毎レビュー文書リストの構成を示す図である。
【図１４】拡張版レビュー文書検索結果ページのデータを生成する処理を示すフロー図である。
【図１５】拡張版レビュー文書検索結果ページのデータを生成する処理の変形例を示すフロー図である。
【図１６】拡張版レビュー文書検索条件入力ページの変形例を示す図である。
【図１７】拡張版レビュー文書検索結果ページの変形例を示す図である。
【図１８】変形例に係る商品データベースの構成を示す図である。
【図１９】レビュー比較欄の変形例を示す図である。
【図２０】変形例に係るレビュー比較欄のデータを生成する処理を示すフロー図である。
【発明を実施するための形態】
【００２０】
以下、本発明の実施形態について図面に基づき詳細に説明する。
【００２１】
図１は、本発明の実施形態に係る電子商取引サーバシステム１２を含むコンピュータネットワーク１０の全体図である。同図に示すように、コンピュータネットワーク１０は電子商取引サーバシステム１２、複数のユーザコンピュータ１４及び複数の店舗コンピュータ１６を含んでいる。電子商取引サーバシステム１２は、単体の或いは複数のコンピュータ（サーバ）により構成されており、インターネットなどの広域ネットワーク１８に接続されている。この電子商取引サーバシステム１２は、ユーザコンピュータ１４や店舗コンピュータ１６のユーザが商品売買を行うための仮想的なショッピングモールのサービスを提供している。また、電子商取引サーバシステム１２は、商品に関するレビュー文章を登録・出力する機能を有しており、本発明に係るレビュー文章出力システムの一形態である。
【００２２】
ユーザコンピュータ１４は、商品を購入するユーザが使用するコンピュータであり、有線又は無線により広域ネットワーク１８に接続されており、電子商取引サーバシステム１２との間でデータ通信をするものである。ユーザコンピュータ１４は、例えばパーソナルコンピュータ、携帯電話機やスマートフォンなどの携帯端末であり、キーボードやポインティングデバイスなどの入力手段及びＬＣＤなどの表示手段を備えている。ユーザコンピュータ１４にはウェブブラウザがインストールされており、このウェブブラウザを用いることにより、広域ネットワーク１８を介して電子商取引サーバシステム１２にアクセスし、そこに各種データを送信したり、そこから提供されるウェブページを表示させることができる。ユーザコンピュータ１４は、ウェブブラウザを用いることにより、所望の商品を購入したり、或いは購入した商品（レビュー対象）に関するレビュー文章（レビュー対象に対する評価や感想を表す文章）のデータを作成して、それを電子商取引サーバシステム１２に登録したりすることができる。また、他のユーザにより作成されたレビュー文章のデータを電子商取引サーバシステム１２から受信し、それを表示することもできる。
【００２３】
店舗コンピュータ１６は、商品を販売するユーザが使用するコンピュータであり、有線又は無線により広域ネットワーク１８に接続されており、電子商取引サーバシステム１２との間でデータ通信をするものである。店舗コンピュータ１６は、例えばパーソナルコンピュータであり、入力手段及び表示手段を備えている。店舗コンピュータ１６も、もちろん携帯電話機やスマートフォンなどの携帯端末であってよい。店舗コンピュータ１６にもウェブブラウザがインストールされており、このウェブブラウザを用いることにより、広域ネットワーク１８を介して電子商取引サーバシステム１２にアクセスし、販売しようとする商品の情報を登録することができる。
【００２４】
図２は、電子商取引サーバシステム１２により提供される仮想的なショッピングモールのトップページを示す図である。このトップページは、ウェブページの形式を有しており、ユーザコンピュータ１４からのリクエストに応じて電子商取引サーバシステム１２から送信されるデータに基づいて表示される。同図に示すように、トップページには入力フォーム２０、検索ボタン２２、商品ジャンルボタン群２４、及びレビュー検索ボタン２６が表示されている。レビュー検索ボタン２６は、後述するようにレビュー文章の検索条件を入力するためのウェブページをリクエストするボタンである。また、入力フォーム２０は、ユーザが入力手段により商品の検索条件を入力する欄であり、本実施形態では商品名に含まれる文字列がユーザにより入力される。
【００２５】
検索ボタン２２は、ユーザコンピュータ１４から電子商取引サーバシステム１２に、入力フォーム２０に入力された文字列を含む商品検索リクエストを送信するためのボタンであり、ポインティングデバイスによりクリックされる。この商品検索リクエストに応じて、電子商取引サーバシステム１２は、リクエストに含まれる文字列が商品名に含まれる商品を商品データベースから検索し、検索結果を示すウェブページのデータ（不図示）をユーザコンピュータ１４に送信する。
【００２６】
商品ジャンルボタン群２４には、「食品」、「酒類」、「衣類」、「書籍」などの複数の商品ジャンルのそれぞれに対応する商品ジャンルボタンが含まれる。商品ジャンルボタンをクリックすることにより、対応する商品ジャンルに属する下位の商品ジャンルの名称を含むウェブページ（不図示）がユーザコンピュータ１４に表示される。そして、最下位の商品ジャンルのボタンをクリックすることにより、その商品ジャンルに属する商品群の紹介を含むウェブページがユーザコンピュータ１４に表示される。
【００２７】
図３は、大商品ジャンル「酒類」、中商品ジャンル「ワイン」、小商品ジャンル「フランスワイン」をユーザが順に選択した場合に、ユーザコンピュータ１４の表示手段に表示される商品リストページを示している。同図に示される商品リストページには、小商品ジャンル「フランスワイン」に属する各商品について、商品の画像、商品名、販売店の名称、価格及び登録済みのレビュー文章の数が表されている。商品名は、商品ボタン２８に表されており、またレビュー文章の数は、レビュー文書表示ボタン３０に表されている。レビュー文章表示ボタン３０をクリックすることにより、図４に示される、個別商品用レビュー文書ページがユーザコンピュータ１４に表示される。また、商品ボタン２８をクリックすることにより、図５に示される、個別商品ページがユーザコンピュータ１４に表示される。
【００２８】
図４に示される個別商品用レビュー文書ページでは、レビュー文章の対象（レビュー対象）となっている商品の商品説明欄３２が最上部に配置され、その下に、ユーザ（レビュアー）により作成・登録されたレビューを表すレビュー欄３４が多数配置されている。商品説明欄３２には商品名、販売店の名称及び価格が表されている。商品名はボタンとなっており、同ボタンをクリックすることによっても、図５に示される個別商品ページがユーザコンピュータ１４に表示される。また、レビュー欄３４には、レビュアーであるユーザの名前（ニックネーム）、レビュー対象に対してレビュアーが与えた評価値を示す画像及びレビュー文章が表される。ただし、レビュー文章を電子商取引サーバシステム１２に登録する際、レビュアーの名前（ニックネーム）を公開するか否かを指定できるようになっており、公開しない旨を指定したレビュアーの名前は、レビュー欄３４に表されないようになっている。この場合、同図に示される「購入者さん」のように、事前に定められた特別の名前が代わりに表されてよい。レビュー欄３４を読んで、商品説明欄３２に示される商品を購入しようと考えたユーザは、商品説明欄３２に含まれる商品名のボタンをクリックすることにより、直ちに個別商品ページを閲覧できる。
【００２９】
図５に示される個別商品ページでは、商品の画像、商品名、販売店の名称、価格、商品の説明が表されている。さらに、注文数量を入力するためのプルダウンメニュー３６、「買物カゴ」ボタン３８、図４に示される個別商品用レビュー文書ページを表示させるためのボタン４０も表示されている。ユーザは、商品の説明などの情報に基づいて購入を決断すると、プルダウンメニュー３６で注文数量を設定し、「買物カゴ」ボタン３８をクリックする。そうすると、電子商取引サーバシステム１２は、注文数量及び注文された商品の商品ＩＤを通信セッションに関連づけて記憶するとともに、注文確定のためのウェブページ（不図示）をユーザコンピュータ１４に返信する。この注文確定のためのウェブページにおいて、ユーザＩＤ及びパスワード、配送先、決済方法などの必要情報をユーザが入力し、確定ボタンを押下することにより、それら情報が電子商取引サーバシステム１２に送信され、通信セッションに関連づけて既に記憶されている注文数量及び商品ＩＤに関する注文が確定する。
【００３０】
図２に示されるトップページにおいてレビュー検索ボタン２６をクリックすると、図６に示されるレビュー文書検索条件入力ページがユーザコンピュータ１４に表示される。同図に示されるウェブページには、入力フォーム４２、追加ボタン４４及び検索ボタン４６が表されている。入力フォーム４２は、レビュー文章のレビュー対象である商品を検索するための検索条件をユーザが入力する欄であり、本実施形態では商品名に含まれる文字列がユーザにより入力される。ユーザは、入力フォーム４２に任意の文字列を入力して検索ボタン４６をクリックすると、電子商取引サーバシステム１２では、その文字列が商品名に含まれる商品を商品データベースから検索する。そして、それら商品をレビュー対象とするレビュー文章をウェブページの形式でユーザコンピュータ１４に返信する。図７は、このときユーザコンピュータ１４で表示されるレビュー文書検索結果ページを示している。同図に示すように、このページには、検索により見つかったレビュー文書をそれぞれ表す１以上のレビュー欄４８が配置されている。レビュー欄４８には、検索により見つかったレビュー文書、レビュー対象に対してレビュアーが与えた評価値を示す画像、レビュアーであるユーザの名前のみならず、そのレビュー文書のレビュー対象である商品の商品名、販売店の名称及び価格も表される。なお、レビュー欄４８は、入力フォーム４２（図６）に入力された文字列を商品名に含む商品ごとに１つ設けられており、レビュー欄４８には該商品をレビュー対象とするレビュー文章のうち１つが代表として表されている。レビュー欄４８に表されるレビュー文章は、例えば作成日、文字数、レビュアーとユーザとの類似度等の各種基準に従って選択してもよいし、ランダムに選択してもよい。レビュー欄４８にはボタン５０が表されており、ユーザはこのボタン５０をクリックすることにより、同じ商品に関する他のレビュー文章をユーザコンピュータ１４に表示させることもできる。
【００３１】
図６に示されるレビュー文書検索条件入力ページにおいて追加ボタン４４をクリックすると、図８に示される拡張版レビュー文章検索条件入力ページが表示される。このウェブページは本実施形態の特徴の１つであり、２つの入力フォーム５２，５４及び１つの検索ボタン５６が表されている。拡張版レビュー文書検索条件入力ページには、追加ボタン５５も表されており、この追加ボタン５５をクリックすることにより、入力フォームの数をさらに増やすことができる。入力フォーム５２，５４は、いずれもレビュー対象である商品の検索条件である条件１，２をユーザがそれぞれ入力する欄であり、本実施形態では商品名に含まれる文字列がユーザにより入力される。ユーザが２つの入力フォーム５２，５４に文字列を入力して検索ボタン５６をクリックすると、電子商取引サーバシステム１２は上記条件１，２を受信することにより取得し、図９に示される拡張版レビュー文章検索結果ページページのデータを生成して、ユーザコンピュータ１４に返信する。
【００３２】
図９に示される拡張版レビュー文書検索結果ページには、レビュアーごとにレビュー比較欄５８が表されている。各レビュー比較欄５８の上部には、レビュアーであるユーザの名前が表されている。また、ユーザの名前の下には２つのレビュー欄が相互に関連づけて表されている。具体的には、２つのレビュー欄が左右に並んで配置されている。
【００３３】
各レビュー欄には、上側にレビュー対象である商品の商品名、販売店の名称及び価格が表されており、下側にレビュー文章が表されている。そして、同図の左側に配置されたレビュー欄は、入力フォーム５２（図８）に入力された文字列（条件１）を商品名に含む商品に関するものであり、同図の右側に配置されたレビュー欄は、入力フォーム５４（図８）に入力された文字列（条件２）を商品名に含む商品に関するものである。左右のレビュー欄に記されたレビュー文章は、異なるレビュー対象に向けられたものであるが、いずれも同じレビュアーにより作成・登録されたものである。なお、左側のレビュー欄は条件１に対応していること、右側のレビュー欄は条件２に対応していることを示すため、拡張版レビュー文書検索結果ページの最上部には、条件１の文字列「ワインＡ」、条件２の文字列「ワインＢ」が左右に並べて表されている。
【００３４】
つまり、図８に示されるウェブページにおいて入力フォーム５２に任意の文字列を条件１として入力することにより、図９に示される拡張版レビュー文書検索結果ページにおいて、各レビュー比較欄５８の左側に配置されたレビュー欄に、その入力した文字列を商品名に含む商品をレビュー対象とするレビュー文章を表示させることができる。また、図８に示されるウェブページにおいて入力フォーム５４に任意の文字列を条件２として入力することにより、図９に示されるウェブページにおいて、各レビュー比較欄５８の右側に配置されたレビュー欄に、その入力した文字列を商品名に含む商品をレビュー対象とするレビュー文章を表示させることができる。そして、これら左右に隣接して配置されたレビュー欄には、同じレビュアーにより作成・登録されたレビュー文章が表される。本実施形態によれば、ユーザは条件１として設定した文字列を商品名に含む商品に関するレビュー文章と、条件２として設定した文字列を商品名に含む商品に関するレビュー文章のうち、同じレビュアーにより作成・登録されたものを、容易に比べ読みすることができる。これにより、ユーザにとって関心のある２つの商品について、一人のレビュアーがそれぞれどのような評価をしたか、どのような感想をもったかを容易に知ることができ、ユーザは商品選択に役立てることができる。
【００３５】
なお、レビュー比較欄５８の表示形式は図９に示されるものに限定されない。同一レビュアーによる各条件に対応するレビュー文書が相互に関連づけて出力されていれば足り、例えば上下に並んで配置されてもよい。あるいは、一方のレビュー文書の周囲にリンクボタンを表示し、このリンクボタンをクリックすることにより他方のレビュー文書を表示させることとしてもよい。また、図９に示される枠線は必須ではない。また、一方又は両方の条件に対応するレビュー文書が複数存在する場合には、そのうち一部（例えば１つ）だけを拡張版レビュー文書検索結果ページに表してもいいし、或いは全部を拡張版レビュー文書検索結果ページに表してもよい。１つの検索条件に対応する複数のレビュー文書をレビュー欄に表す場合、商品名、販売店の名称、価格、レビュー文書を上下方向又は左右方向に隣接して配置すればよい（図１７参照）。
【００３６】
具体的には、条件１の文字列「Ａワイン」で検索した結果、「Kenさん」により作成されたレビュー文章が複数見つかる場合もある。例えば一人のレビュアーが、ある販売店で販売されている「Ａワイン」について、複数回レビュー文章を作成する場合もあるし、異なる複数の販売店で販売されている「Ａワイン」について、それぞれレビュー文章を作成する場合もある。このように、同一レビュアーがある条件に合致する商品について複数のレビュー文章を作成している場合には、全てのレビュー文章を、一列に並べるなどして互いに関連づけて表示させてよい。或いは、それらレビュー文章のうち一部（例えば最後に作成されたもの）だけを拡張版レビュー文章検索結果ページに表してよい。この場合には、「もっと見る」などの文字列が表されたボタンを設けて、このボタンをクリックすることにより残りのレビュー文章を表示させることができるようにしてよい。
【００３７】
また、条件１を満足する商品をレビュー対象とするレビュー文章の中には、そのレビュアーが条件２を満足する商品についてレビュー文章を作成・登録してない場合もある。反対に、条件２を満足する商品をレビュー対象とするレビュー文章の中にも、そのレビュアーが条件１を満足する商品についてレビュー文章を作成・登録してない場合もある。したがって、図１０に示されるように、前者に該当するレビュー文章を表すレビュー欄を左右一方（同図では左側）に上下方向に並べて配置するとともに、後者に該当するレビュー文章を表すレビュー欄を他方（同図では右側）に上下方向に並べて配置してよい。同図に示されるウェブページは、図９に示される拡張版レビュー文書検索結果ページの一部（例えば最下部）であってもよいし、同ページにリンクされた別個のウェブページであってもよい。
【００３８】
以下、電子商取引サーバシステム１２における情報処理について、特に拡張版レビュー文書検索結果ページのデータを生成し、ユーザコンピュータ１４に返信する情報処理について、詳細に説明する。なお、本明細書において説明する電子商取引サーバシステム１２の構成及び情報処理は、電子商取引サーバシステム１２で実行されるプログラムによって実現されるものである。このプログラムは、広域ネットワーク１８を介して他のコンピュータからダウンロードされてもよいし、ＤＶＤ−ＲＯＭやＣＤ−ＲＯＭなどのコンピュータ可読情報記憶媒体から読み出されてもよい。
【００３９】
まず、電子商取引サーバシステム１２に含まれる大規模記憶装置に格納される複数種のデータベースについて説明する。なお、大規模記憶装置は、電子商取引サーバシステム１２の中心となるコンピュータに内蔵されてもよいし、別体であってもよい。
【００４０】
図１１は、電子商取引サーバシステム１２に含まれる商品データベースを模式的に示す図である。同図に示すように、商品データベースは各商品について、商品ＩＤ、ジャンル１、ジャンル２、ジャンル３、商品名、価格、販売店の名称及び商品説明を関連づけて記憶するものである。商品ＩＤは、電子商取引サーバシステム１２において取引される商品を一意に識別する情報である。ジャンル１は、「酒類」などの商品が属する大商品ジャンルを特定する情報であり、ジャンル２は、「ワイン」などの商品が属する中商品ジャンルを特定する情報であり、ジャンル３は、「フランスワイン」などの商品が属する小商品ジャンルを特定する情報である。商品説明は、サイズや重量などの商品の仕様や、販売店からの推薦文句、商品の画像などの情報である。店舗の作業者は、新たな商品を販売しようとする場合、店舗コンピュータ１６において、電子商取引サーバシステム１２から受信する商品情報入力ページ（不図示）の案内に従って、ジャンル１、ジャンル２、ジャンル３、商品名、価格及び商品説明を入力し、それらの情報を店舗の識別情報とともに電子商取引サーバシステム１２に送信する。電子商取引サーバシステム１２では、新たに商品ＩＤを発行し、発行した商品ＩＤとともに、店舗コンピュータ１６から受信した各種情報を商品データベースに格納する。なお、本実施形態では、複数の店舗が電子商取引サーバシステム１２を利用するので、同一の商品が複数の店舗により登録される場合がある。
【００４１】
次に、図１２は、電子商取引サーバシステム１２に含まれるレビュー文書データベースを模式的に示す図である。同図に示すように、レビュー文書データベースは各レビュー文章について、レビュー文書ＩＤ、レビュアーのユーザＩＤ、レビュアーであるユーザの名前、レビュー対象である商品の商品ＩＤ、レビュー文書、公開フラグ及び購入者フラグを関連づけて記憶するものである。この他、レビュー文書の作成日も記憶してよい。レビュー文書ＩＤは、電子商取引サーバシステム１２においてレビュー文章を一意に識別する情報である。公開フラグは、上述したように、レビュアーであるユーザの名前を公開することを本人が希望するか否かを示す情報であり、１は公開を希望し、０は非公開を希望することを示している。レビュー文章は、上述したようにレビュー対象に対する評価や感想を表す文章であるが、ここではレビュー対象に対してレビュアーが与えた評価値（ランク）を含む。さらに、レビュアーが商品を購入した期間、回数、総個数を含んでもよい。また、購入フラグは、レビュアーがレビュー対象を実際に購入したのか否かを示す。購入者以外により作成されたレビュー文章を表示する際は、購入フラグに基づいて、その旨を併せて表示することが望ましい。
【００４２】
レビュー文章を作成・登録する場合、ユーザコンピュータ１４は、商品を特定する情報とレビューを作成する指示を電子商取引サーバシステム１２に送信する。電子商取引サーバシステム１２は、該商品ＩＤの商品をレビュー対象とするレビュー文章を作成・登録するためのレビュー文章入力ページ（不図示）をユーザコンピュータ１４に送信する。そして、ユーザコンピュータ１４は、このレビュー文書入力ページの案内に従って、レビュー文章の文字情報及び公開フラグを入力し、それらの情報をユーザＩＤ及びレビュー対象の商品ＩＤとともに電子商取引サーバシステム１２に送信する。電子商取引サーバシステム１２では、新たにレビュー文章ＩＤを発行し、発行したレビュー文章ＩＤとともに、ユーザコンピュータ１４から受信した各種情報をレビュー文書データベースに格納する。このとき、ユーザＩＤに関連づけられたユーザの名前は、図示しないユーザデータベース（不図示）から取得する。
【００４３】
図１３は、電子商取引サーバシステム１２に含まれる大規模記憶装置に記憶される商品毎レビュー文書リストを模式的に示す図である。同リストでは、商品ＩＤごとに、その商品ＩＤの商品をレビュー対象とするすべてのレビュー文章のレビュー文書ＩＤが列記されるとともに、それらレビュー文書ＩＤの数も合わせて記録される。同図に示すリストは、図１２に示されるレビュー文書データベースの派生情報であり、レビュー文書データベースが更新される度に同リストも電子商取引サーバシステム１２により自動更新される。
【００４４】
電子商取引サーバシステム１２は、商品データベース、レビュー文書データベース及び商品毎レビュー文書リストを参照しながら、ユーザコンピュータ１４にて表示されるウェブページのデータを生成する。例えば、図３に示される商品リストページのデータを生成する場合、電子商取引サーバシステム１２は、ユーザにより指定された小商品ジャンルが「ジャンル３」として記録されたレコードを商品データベースから抽出し、そこから商品の画像、商品名、販売店の名称、価格を取得する。また、電子商取引サーバシステム１２は、当該商品のレビュー文書の数を、抽出されるレコードに含まれる商品ＩＤをキーにして商品毎レビュー文書リストから取得する。そして、電子商取引サーバシステム１２は、取得される情報に基づいて図３に示される商品リストページのデータを合成する。
【００４５】
また、電子商取引サーバシステム１２は、図４に示される個別商品用レビュー文書ページのデータを生成する場合、ユーザにより指定された商品の商品ＩＤに関連づけて商品データベースに記憶されるレコードを抽出し、そこから商品の画像、商品名、販売店の名称、価格を取得する。さらに、電子商取引サーバシステム１２は、抽出されるレコードに含まれる商品ＩＤをキーにして、商品毎レビュー文書リストからレビュー文書ＩＤ群を取得する。そして、電子商取引サーバシステム１２は、レビュー文書データベースを参照して、取得された各レビュー文書ＩＤに関連づけられたレビュアーのユーザＩＤ、ユーザの名前及びレビュー文書を取得する。電子商取引サーバシステム１２は、こうして取得される情報に基づいて図４に示される個別商品用レビュー文書ページのデータを合成する。
【００４６】
また、図５に示される個別商品ページのデータを生成する場合、電子商取引サーバシステム１２は、ユーザにより指定された商品の商品ＩＤに関連づけて商品データベースに記憶されるレコードを抽出し、そこから商品の画像、商品名、販売店の名称、価格、商品説明を取得する。電子商取引サーバシステム１２は、こうして取得される情報に基づいて図５に示される個別商品ページのデータを合成する。
【００４７】
また、図７に示されるレビュー文書検索結果ページのデータを生成する場合、ユーザコンピュータ１４から送信される文字列が商品名に含まれるレコードを商品データベースから抽出する。そして、抽出されるレコードに含まれる商品ＩＤをキーにして、商品毎レビュー文書リストからレビュー文書ＩＤ群を取得する。そして、レビュー文書データベースを参照して、取得されたレビュー文書ＩＤ群のうち１つに関連づけられたレビュアーのユーザＩＤ、ユーザの名前及びレビュー文書を取得する。レビュー文書ＩＤのうち１つは、ランダムに選択したり、もっとも作成日付が新しいものを選択したりしてよい。そして、こうして取得される情報に基づいて図７に示されるレビュー文書検索結果ページのデータを合成する。
【００４８】
また、図９に示されるレビュー文書検索結果ページのデータを生成する場合、図１４に示す処理が実行される。この処理は、ユーザコンピュータ１４から送信される、条件１に係る文字列及び条件２に係る文字列を、電子商取引サーバシステム１２において取得することで実行されるものである。この処理では、まず、電子商取引サーバシステム１２は、図８のレビュー文書検索条件入力ページにおいて条件１として入力された文字列に関するレビュー文書ＩＤ及びレビュアーのユーザＩＤを取得する（Ｓ１０１）。具体的には、まず電子商取引サーバシステム１２は、条件１として入力された文字列を商品名に含む商品の商品ＩＤを商品データベースから取得する。次に、電子商取引サーバシステム１２は、取得される商品ＩＤに関連づけられたレビュー文書ＩＤ群をレビュー文書データベースから取得する。さらに、電子商取引サーバシステム１２は、取得される各レビュー文書ＩＤに関連づけられたユーザＩＤであって「公開」のフラグが付いたレコードに含まれるものをレビュー文書データベースから取得する。図９に示されるレビュー文書検索結果ページでは、レビュアーであるユーザの名前と共にレビュー文章を表示することとなるため、このように「公開」のフラグが付いたレコードに含まれるユーザＩＤを取得するのである。次に、Ｓ１０１と同様にして、電子商取引サーバシステム１２は、図８のレビュー文書検索条件入力ページにおいて条件２として入力された文字列に関するレビュー文書ＩＤ及びレビュアーのユーザＩＤを取得する（Ｓ１０２）。
【００４９】
その後、電子商取引サーバシステム１２は、Ｓ１０１で取得されたレビュアーのユーザＩＤのうち１つを選択し（Ｓ１０３）、選択されたユーザＩＤがＳ１０２で取得されたユーザＩＤに含まれているか否かを判断する。そして含まれていれば、電子商取引サーバシステム１２は、そのユーザＩＤのレビュアーによるレビュー文書のレビュー文書ＩＤをＳ１０２で取得されたレビュー文書ＩＤの中から取得する（Ｓ１０４）。そして、Ｓ１０４で１つでもレビュー文書ＩＤを取得することができれば（Ｓ１０５）、電子商取引サーバシステム１２は、Ｓ１０３で選択されたユーザＩＤのレビュアーに関するレビュー比較欄５８のデータを生成し、そのデータをファイルに出力する（Ｓ１０６）。
【００５０】
具体的には、電子商取引サーバシステム１２は、Ｓ１０３で選択されたユーザＩＤのユーザの名前をユーザデータベース（不図示）から取得し、ファイルに出力する。さらに、電子商取引サーバシステム１２は、同ユーザＩＤのレビュアーによるレビュー文書のレビュー文書ＩＤを、Ｓ１０１で取得されたレビュー文書ＩＤから取得し、さらに取得されるレビュー文書ＩＤに関連づけられたレビュー文書及び商品ＩＤをレビュー文書データベースから取得する。また、電子商取引サーバシステム１２は、取得される商品ＩＤに関連づけられた商品名、販売店の名称及び価格を商品データベースから取得する。その後、電子商取引サーバシステム１２は、こうして取得される情報に基づいて、商品名、販売店の名称、価格及びレビュー文章を表すレビュー欄（条件１用）のデータを生成し、ファイルに出力する。
【００５１】
次に、電子商取引サーバシステム１２は、Ｓ１０４で取得されたレビュー文書ＩＤに関連づけられたレビュー文書及び商品ＩＤをレビュー文書データベースから取得する。また、電子商取引サーバシステム１２は、取得される商品ＩＤに関連づけられた商品名、販売店の名称及び価格を商品データベースから取得する。その後、電子商取引サーバシステム１２は、こうして取得される情報に基づいて、商品名、販売店の名称、価格及びレビュー文章を表すレビュー欄（条件２用）のデータを生成し、ファイルに出力する。
【００５２】
その後、電子商取引サーバシステム１２は、Ｓ１０１で取得されたレビュアーのユーザＩＤを全て選択するまで（Ｓ１０７）、Ｓ１０３乃至Ｓ１０６の処理を繰り返す。また、Ｓ１０１で取得されたレビュアーのユーザＩＤを全て選択すると、電子商取引サーバシステム１２は、Ｓ１０６で生成されるファイルに基づいて、図９に示されるレビュー文書検索結果ページのデータを完成させてから、ユーザコンピュータ１４に返信する（Ｓ１０８）。このとき、電子商取引サーバシステム１２は、条件１に対応するレビュー欄を左側に、条件２に対応するレビュー欄を右側に、互いに隣り合わせて配置する。なお、上述のように、同一レビュアーが条件１に合致する商品について複数のレビュー文章を作成している場合には、全てのレビュー文章を、一列に並べるなどして互いに関連づけて条件１に対応するレビュー欄に表示させてよい。或いは、それらレビュー文章のうち一部（例えば最後に作成されたもの）だけを条件１に対応するレビュー欄に表示させてよい。
【００５３】
図１４に示される処理では、第１条件を満足する商品に関するレビュー文章及びそれらのレビュアーのユーザＩＤを取得し、さらに、第２条件を満足する商品に関するレビュー文章及びそれらのレビュアーのユーザＩＤを取得する。そして、第１条件に係るユーザＩＤと、第２条件に係るユーザＩＤとに共通するものがあるかを調べ、共通するものがあれば、そのユーザＩＤのレビュアーにより作成・登録されたレビュー本文を左右に隣接表示させている。こうすれば、第１条件を満足する商品に関するレビュー文章、及び第２条件を満足する商品に関するレビュー文章のうち、共通のレビュアーによるものを特定して、それらを相互に関連づけて出力することができる。
【００５４】
図１５は、図１４に示される処理の変形例である。図１５に示される処理では、まず、電子商取引サーバシステム１２は、図８のレビュー文書検索条件入力ページにおいて条件１として入力された文字列に関するレビュー文書ＩＤ及びレビュアーのユーザＩＤを取得する（Ｓ２０１）。具体的には、電子商取引サーバシステム１２は、まず条件１として入力された文字列を商品名に含む商品の商品ＩＤを商品データベースから取得する。次に、電子商取引サーバシステム１２は、取得される商品ＩＤに関連づけられたレビュー文書ＩＤ群をレビュー文書データベースから取得する。さらに、電子商取引サーバシステム１２は、取得される各レビュー文書ＩＤに関連づけられたユーザＩＤであって「公開」のフラグが付いたレコードに含まれるものをレビュー文書データベースから取得する。
【００５５】
次に、電子商取引サーバシステム１２は、Ｓ２０１で取得されたレビュアーのユーザＩＤのうち１つを選択し（Ｓ２０２）、選択されたユーザＩＤのユーザがレビュアーであるレビュー文章のうち、条件２を満足するもののレビュー文書ＩＤを取得する（Ｓ２０３）。具体的には、電子商取引サーバシステム１２は、選択されたユーザＩＤのユーザがレビュアーであるレビュー文章のレビュー対象である商品の商品ＩＤであって「公開」のフラグが付されたレコードに含まれるものをレビュー文章データベースから取得する。次に、電子商取引サーバシステム１２は、取得された商品ＩＤに関連づけられた商品名が条件２を満足するか否かを判断する。そして、条件２を満足すれば、電子商取引サーバシステム１２は、その商品ＩＤの商品をレビュー対象とし、Ｓ２０２で選択されたユーザＩＤのユーザをレビュアーとするレビュー文章のレビュー文書ＩＤを取得する。
【００５６】
電子商取引サーバシステム１２は、Ｓ２０３で取得されるレビュー文書ＩＤが１つでもあれば（Ｓ２０４）、Ｓ２０２で選択されたユーザＩＤのレビュアーに関するレビュー比較欄５８のデータを生成し、そのデータをファイルに出力する（Ｓ２０５）。具体的には、電子商取引サーバシステム１２は、Ｓ２０２で選択されたユーザＩＤのユーザの名前をユーザデータベース（不図示）から取得し、ファイルに出力する。さらに、電子商取引サーバシステム１２は、同ユーザＩＤのレビュアーによるレビュー文書のレビュー文書ＩＤを、Ｓ２０１で取得されたレビュー文書ＩＤの中から取得し、さらに取得されるレビュー文書ＩＤに関連づけられたレビュー文書及び商品ＩＤをレビュー文書データベースから取得する。また、電子商取引サーバシステム１２は、取得される商品ＩＤに関連づけられた商品名、販売店の名称及び価格を商品データベースから取得する。その後、電子商取引サーバシステム１２は、こうして取得される情報に基づいて、商品名、販売店の名称、価格及びレビュー文章を表すレビュー欄（条件１用）のデータを生成し、ファイルに出力する。
【００５７】
次に、電子商取引サーバシステム１２は、Ｓ２０３で取得されたレビュー文書ＩＤに関連づけられたレビュー文書及び商品ＩＤをレビュー文書データベースから取得する。また、取得される商品ＩＤに関連づけられた商品名、販売店の名称及び価格を商品データベースから取得する。その後、電子商取引サーバシステム１２は、こうして取得される情報に基づいて、商品名、販売店の名称、価格及びレビュー文章を表すレビュー欄（条件２用）のデータを生成し、ファイルに出力する。
【００５８】
一方、Ｓ２０３で取得されるレビュー文書ＩＤが１つもなければ、電子商取引サーバシステム１２は、Ｓ２０５の処理をスキップする。その後、電子商取引サーバシステム１２は、Ｓ２０１で取得されたレビュアーのユーザＩＤを全て選択するまで（Ｓ２０６）、Ｓ２０２乃至Ｓ２０５の処理を繰り返す。また、電子商取引サーバシステム１２は、Ｓ２０１で取得されたレビュアーのユーザＩＤを全て選択すると、Ｓ２０５で生成されるファイルに基づいて、図９に示されるレビュー文書検索結果ページのデータを完成させてから、ユーザコンピュータ１４に返信する（Ｓ２０７）。
【００５９】
図１５に示される変形処理では、第１条件を満足する商品に関するレビュー文章ＩＤ及びそれらのレビュアーのユーザＩＤを取得する。そして、取得されるレビュアーのユーザＩＤのうち、第２条件を満足する商品に関するレビュー文章を作成したものを特定する。その後、特定されるユーザＩＤのレビュアーにより作成された、第２条件を満足する商品に関するレビュー文章を取得する。こうしても、第１条件を満足する商品に関するレビュー文章、及び第２条件を満足する商品に関するレビュー文章のうち、共通のレビュアーによるものを特定して、それらを相互に関連づけて出力することができる。
【００６０】
なお、以上の説明では、図８に示されるレビュー文書検索条件入力ページにおいて、ユーザが、商品名に含まれる２種類の文字列を条件１及び条件２として、自らそれぞれ入力するようにしたが、本発明はこの態様に限らない。例えば、入力された文字列が商品名に含まれるか否かにより商品を選出する代わりに、商品ＩＤをユーザに入力させて、入力された商品ＩＤにより識別される商品を選出するようにしてもよい。この場合、第１条件である商品ＩＤはユーザがキーボードで入力するようにしてもよいが、特定の商品に関する商品名等の情報をクリックした場合に、同情報に関連づけられた商品ＩＤを第１条件として取得してもよい。例えば、図５に示される個別商品ページにおいてボタン４０がクリックされると、同ページに表されている商品の商品ＩＤをユーザコンピュータ１４から電子商取引サーバシステム１２に送信するようにしてもよい。そして、電子商取引サーバシステム１２では、送信される商品ＩＤを条件１としてよい。この場合、条件２となる商品ＩＤは、電子商取引サーバシステム１２側で自動的に設定してよい。例えば、電子商取引サーバシステム１２において、事前に互いに関連する商品の商品ＩＤを記憶しておけば、条件１である商品ＩＤを取得すれば、取得した商品ＩＤに関連づけて記憶された１以上の関連商品の商品ＩＤを読み出し、これを第２条件としてよい。こうすれば、図５に示されるウェブページにおいて、ボタン４０がクリックされると、直ちに同ページにおいて紹介されている商品に関するレビュー文章、及び同じレビュアーにより作成された関連商品に関するレビュー文章を、直ちに表示できるようになる。
【００６１】
また、第１条件及び第２条件として商品名に含まれる文字列を指定することに代えて、大商品ジャンル、中商品ジャンル又は小商品ジャンルを指定するようにしてもよい。すなわち、図１６に示されるウェブページのように、第１条件及び第２条件のそれぞれについて、商品名に含まれる文字列を入力する入力フォーム６０，６２に加えて、さらに商品ジャンルを選択するプルダウンメニュー６４，６６をそれぞれ表示してよい。プルダウンメニュー６４，６６は、全ての小商品ジャンルをリスト表示するとともに、そのうち任意の１つを指定することができるようになったものである。ユーザは、条件１として、入力フォーム６０に文字列を入力するか、又はプルダウンメニュー６４により小商品ジャンルを１つ選択する。さらに条件２として、入力フォーム６２に文字列を入力するか、又はプルダウンメニュー６６により小商品ジャンルを１つ選択し、その後、検索ボタン６８をクリックする。
【００６２】
条件１及び条件２を受信した電子商取引サーバシステム１２では、図１７に示されるウェブページのデータを生成し、これをユーザコンピュータ１４に返信する。同図に示されるウェブページのデータは、図１４又は図１５のフロー図に示される処理と同様にして生成することができる。具体的には、図１４のＳ１０１，Ｓ１０２或いは図１５のＳ２０１，Ｓ２０３において、条件１又は２を満足する商品を検索する場合には、条件１又は２として文字列を受信していれば、同文字列を含む商品名の商品を検索し、その商品に関するレビュー文書のレビュー文書ＩＤ及びレビュアーのユーザＩＤを取得する。また、小商品ジャンルの指定を受信していれば、同商品ジャンルが商品データベースの「ジャンル３」として記憶されている商品を検索し、その商品に関するレビュー文書のレビュー文書ＩＤ及びレビュアーのユーザＩＤを取得する。その他の処理は図１４及び図１５と同様である。
【００６３】
図１７に示されるように、この変形例によれば、レビュアー毎にレビュー比較欄７０が設けられる。レビュー比較欄７０では、指定した文字列を商品名に含む商品又は指定した小商品ジャンルに属する商品に関するレビュー欄がページ左側に配置され、別途指定した文字列を商品名に含む商品又は別途指定した小商品ジャンルに属する商品に関するレビュー欄がページ右側に並べて配置される。この変形例によれば、条件１として入力フォームに商品名に含まれる文字列を入力し、条件２としてその商品が属する小商品ジャンルを指定することで、ある商品に関するレビュー文章と、同じ小商品ジャンルに属する他の商品に関するレビュー文書のうち、同じレビュアーにより作成・登録されたものを、容易に比べ読みすることができる。あるいは、条件１及び２としていずれも小商品ジャンルを指定することで、２つの小商品ジャンルのそれぞれに関するレビュー文章を比べ読みすることができる。例えば小商品ジャンル「フランスワイン」に関するレビュー文書と小商品ジャンル「イタリアワイン」に関するレビュー文章とを比べ読みすることで、どちら国の種類のワインを購入すべきかを判断できるようになる。ここで、図１７に示される拡張版レビュー文書検索結果ページにおいては、左側のレビュー欄は条件１に対応していること、右側のレビュー欄は条件２に対応していることを示すため、拡張版レビュー文書検索結果ページの最上部には、条件１の文字列、及び条件２の文字列が左右に並べて表される。このとき、条件１又は２として小商品ジャンルが指定された場合には、「ジャンル」の語が付記される。
【００６４】
なお、上述したように条件１として商品ＩＤを用いる場合は、条件２である小商品ジャンルは、電子商取引サーバシステム１２側で自動的に判断し、取得してよい。例えば、図６に示されるレビュー文書検索条件入力ページにおいて入力フォームに商品ＩＤを指定してから検索ボタン４６をクリックすると、電子商取引サーバシステム１２では、受信した商品ＩＤの商品が属する小商品ジャンルを商品データベースのジャンル３から取得し、これを条件２として用いる。これにより、ユーザが１つの商品ＩＤを指定するだけで、図１７に示されるようなウェブページを出力することができる。もちろん、図５に示される個別商品ページのボタン４０がクリックされた場合に、該ページにより紹介されている商品ＩＤ及びその商品が属する小商品ジャンルを取得し、それらを条件１及び２として図１７に示されるようなレビュー文書検索結果ページを出力してもよい。
【００６５】
なお、図９又は図１７に示されるレビュー文書検索結果ページは、現行の複数商品に関する同一レビュアーのレビュー文書を表している。このため、同ページは、同一ユーザが同種の商品を短期間で複数購入し、それらについてレビュー文書を作成・登録していることを前提としている。しかし、商品によっては、一人のユーザが同種のものを複数回購入するのは極めて稀なこともある。例えばワイン、靴下、洗剤、食料品などの短期間での買い替え・買い足しが想定される商品もあれば、掃除機、冷蔵庫などの短期間での買い替え・買い足しがあまり想定されない商品もある。そこで、図１８に示すように各商品について、買い替え・買い足しが想定されるか否かを示すフラグを商品データベースに記憶しておき、図９又は図１７に示されるレビュー文書検索結果ページを生成する場合には、買い替え・買い足しが想定される旨のフラグが付されたレコードのみを処理対象としてよい。こうすれば、処理時間を短縮することができる。このフラグは、管理者が手作業で設定してもよいし、多数のユーザの実際の購入履歴に基づいて自動設定してもよい。また、商品毎にフラグを付す代わりに、商品ジャンル（例えば小商品ジャンル）毎に設定してもよい。
【００６６】
また、レビュー比較欄を表示する場合、それぞれのレビュー文章の特徴部分をハイライト、下線、枠を付したり、フォントや色を変えるなどして、他と区別しうる態様にて表示すると、ユーザはレビュー文書を容易に比べることができるようになる。図１９には、レビュー文章の特徴部分に枠を付したレビュー比較欄を示している。特徴部分は、形容詞などの特定の品詞の語であってもよいし、あらかじめ記憶されているキーワードに一致する部分であってもよい。また、特定品詞の語やキーワードであって、他方のレビュー文書には含まれていないものを特徴部分として、他と区別しうる態様にて表示してもよい。
【００６７】
図２０は、図１９に示されるレビュー比較欄のデータを生成するフロー図である。同図に示す処理は、図１４のフロー図におけるＳ１０８、図１５のフロー図におけるＳ２０７において、各レビュー文書の表示データを生成する際に実行されるものである。まず、電子商取引サーバシステム１２は、各レビュー文章に形態素解析処理を施す（Ｓ３０１）。そして、第１条件に対応するレビュー文書から特定品詞、例えば形容詞の語を抽出する（Ｓ３０２）。そして、抽出された語が第２条件に対応するレビュー文書に含まれているか否かを判断し、含まれていなければ特徴部分であると判断し、ハイライト等、表示上の差別化を施す（Ｓ３０３）。同様に、第２条件に対応するレビュー文書から特定品詞の語を抽出する（Ｓ３０４）。そして、抽出された語が第１条件に対応するレビュー文書に含まれているか否かを判断し、含まれていなければ特徴部分であると判断し、ハイライト等、表示上の差別化を施す（Ｓ３０５）。
【００６８】
以上説明した電子商取引システム１２によれば、複数の検索条件のそれぞれを満足する商品又は商品群に関するレビュー文書がユーザコンピュータ１４の表示手段に表示される。そして、共通レビュアーによる、各検索条件に対応するレビュー文書が相互に関連づけて表示されるので、ユーザは、ある検索条件を満足する商品又は商品群と、別の検索条件を満足する商品又は商品群と、に関する他のユーザの意見を容易に知ることができる。特に、本実施形態に係るシステムは、複数の商品を実際に買って比べられることが多い場合、或いは複数の商品間で買い替えが発生する場合に有用である。特に、消耗品であるが価格が安くはないものについては、ユーザは意に沿わない商品を購入してしまうことを避けたい。このような場合、本実施形態によれば、他のユーザの意見を容易に知ることができるので、そのような事態を防ぐことができる。
【００６９】
なお、本発明は上記実施形態に限定されない。
【００７０】
例えば、以上の説明では商取引対象として商品のみを取り上げたが、ホテルや旅館などの宿泊施設の提供やゴルフ場の利用機会の提供などのサービスや、映画その他の映像データやニュースその他の文字データなどの情報の取引にも、本発明を同様に適用してよいのはもちろんである。
【００７１】
また、以上の説明ではレビュー文章の出力形式として、ユーザコンピュータ１４にレビュー文章を表すウェブページのデータを送信出力し、ユーザコンピュータ１４の表示手段にて表示させることとしたが、本発明は、どのような形式のデータで電子商取引サーバシステム１２からユーザコンピュータ１４に送信するかを問わないし、ユーザコンピュータ１４でどのような形式で出力するかも問わない。例えば、ユーザコンピュータ１４ではレビュー文章を印刷してもよい。
【００７２】
また、以上の説明では２つの検索条件のそれぞれに対応するレビュー文書を、相互に関連づけて出力するようにしたが、３以上の検索条件のそれぞれに対応するレビュー文書を、相互に関連付けて出力してもよい。
【符号の説明】
【００７３】
１０  コンピュータネットワーク、１２  電子商取引サーバシステム、１４  ユーザコンピュータ、１６  店舗コンピュータ、１８  広域ネットワーク、２４  商品ジャンルボタン群、３４，４８  レビュー欄、５８，７０  レビュー比較欄。
【図１】
0005241903.tif 000002
【図２】
0005241903.tif 000003
【図３】
0005241903.tif 000004
【図４】
0005241903.tif 000005
【図５】
0005241903.tif 000006
【図６】
0005241903.tif 000007
【図７】
0005241903.tif 000008
【図８】
0005241903.tif 000009
【図９】
0005241903.tif 000010
【図１０】
0005241903.tif 000011
【図１１】
0005241903.tif 000012
【図１２】
0005241903.tif 000013
【図１３】
0005241903.tif 000014
【図１４】
0005241903.tif 000015
【図１５】
0005241903.tif 000016
【図１６】
0005241903.tif 000017
【図１７】
0005241903.tif 000018
【図１８】
0005241903.tif 000019
【図１９】
0005241903.tif 000020
【図２０】
0005241903.tif 000021